(57)【要約】【課題】容器の洗浄を容易とした噴出器を提供する。【解決手段】容器１０は、本体部１１と底部１２とで構成する。本体部は、筒体の上部を絞って口部を形成し、下部はそのままストレートに開口している。底部は、カップ状とする。そして、本体部の下部に底部の上部をネジ付けて本体部に対して底部を着脱自在に取り付け、ボトル形状の容器を形成し、内部に、例えばリンスやトリートメント類などの内容物１６を収納する。そのような容器の口部には、ポンプ装置２０を取り付ける。ポンプ装置２０には、噴出口２６を有する押下釦２５を設ける。そして、押下釦２５を操作し、ポンプ装置で容器の内容物を汲み上げて上方の噴出口から外部に向けて噴出する。【選択図】      図１
2005247336.tif 000002
【特許請求の範囲】
【請求項１】
容器の内容物を上方の噴出口から外部に向けて噴出する噴出器において、
前記容器を、本体部とそれに着脱自在な底部とで構成することを特徴とする、噴出器。
【請求項２】
前記噴出口を有するポンプ装置を前記容器の口部に取り付け、前記容器の内容物を汲み上げて噴出することを特徴とする、請求項１に記載の噴出器。
【請求項３】
前記本体部に対して前記底部をネジにより着脱自在とすることを特徴とする、請求項１または２に記載の噴出器。
【発明の詳細な説明】
【技術分野】
【０００１】
この発明は、押下釦やトリガーレバーなどの操作部材を操作したり容器をつぶしたりしたとき、容器の内容物を、例えば容器に取り付けるポンプ装置の押下釦に設ける噴出口から、また容器そのものに設ける噴出口から外部に向けて噴出する、化粧用等の噴出器に関する。
【背景技術】
【０００２】
従来、この種の噴出器のうち、例えばポンプ式のものでは、図５に示すように、容器１の口部にポンプ装置２を取り付け、そのポンプ装置２の押下釦３を押し下げてステム４を押し込むことにより該ポンプ装置２を作動してパイプ５を通して容器１の内容物６を汲み上げ、押下釦３の嘴状噴出管７先端の噴出口８から外部に向けて噴出していた。
【０００３】
ところが、このような噴出器では、例えばステム４まわりから水が進入して容器１内に入り、容器１内を汚染し、カビが生えて不衛生となったり、内容物が、特にリンスやトリートメント類であるような場合には、ゼリー状となってパイプ５の詰まりなどによる吸い上げ不良を生じたりするおそれがあり、このようなトラブルを避けるためには容器１からポンプ装置２を取り外してこまめに洗浄しなければならない面倒があった。
【０００４】
しかしながら、図６に示すように、ポンプ装置２を取り外して容器１を逆さにしても、ゼリー状になった残液９は、なかなか容器１内から落下せず、例えば容器１の肩部ａ内に付着した残液は、口部ｂからブラシを入れて擦っても、きれいに洗浄することが難しいのが実状であった。
【０００５】
従来の噴出器の中には、例えば図７に示すように、容器１の蓋部１ａを、ネジを外して分離し、容器１の本体部１ｂからポンプ装置２とともに取り外し可能とするものがある。このような噴出器では、蓋部１ａを取り外すことで、蓋部１ａと本体部１ｂとを分けて個別に洗浄することが可能である。
【特許文献１】特開平１１−２０８７０４号公報
【発明の開示】
【発明が解決しようとする課題】
【０００６】
ところが、このような噴出器にあっても、本体部１ｂの底が深いから、底に付着したゼリー状残液を完全に除去することが難しく、やはりきれいに洗浄することができない問題があった。
【０００７】
そこで、この発明の目的とするところは、容器の洗浄を容易とした噴出器を提供することにある。
【課題を解決するための手段】
【０００８】
かかる目的を達成すべく、この発明は、容器の内容物を上方の噴出口から外部に向けて噴出する噴出器において、容器を、本体部とそれに着脱自在な底部とで構成する、ことを特徴とする。
【０００９】
そして、例えば容器内容物の詰め換え時に、容器の本体部から底部を取り外し、容器を分割して各々個別に洗浄し、それぞれの内部に付着する残液を除去して後、きれいになった容器に新しい内容物を充填する。
【００１０】
例えば、前記噴出口を有するポンプ装置を容器の口部に取り付け、容器の内容物を汲み上げて噴出する。また、本体部に対して底部をネジにより着脱自在とする。もちろん、ネジに限らず、例えばパッキン等を挟んで内容物漏れを防止し、はめ合わせにより本体部に対して底部を着脱自在としてもよい。
【発明の効果】
【００１１】
この発明によれば、例えば容器内容物の詰め換え時に、容器の本体部から底部を取り外し、容器を分割して個別に洗浄し、それぞれの内部に付着する残液を除去して後、きれいになった容器に新しい内容物を充填するので、例えば底が浅いから底部をきれいに洗浄することができ、また底部側からブラシ等を入れて本体部の肩部などもきれいに洗浄することができ、容器の洗浄を容易として容器を常に衛生的に保持することができる。
【発明を実施するための最良の形態】
【００１２】
以下、図面を参照しつつ、この発明の実施の最良形態につき説明する。
図１には、この発明による往復ポンプ式の噴出器の縦断面を示す。
【００１３】
図中符号１０は、容器である。容器１０は、図２に示すように本体部１１と底部１２とで構成し、プラスチック材料で全体ボトル形状につくる。本体部１１は、筒体の上部を絞って口部１３を形成し、下部はそのままストレートに開口している。それら口部１３および下部開口１４の外周には、それぞれ雄ネジを設ける。底部１２は、図２に示すようにカップ状で、上部開口１５の内周に雌ネジを設ける。そして、本体部１１の下部に底部１２の上部をネジ付けて本体部１１に対して底部１２をネジにより着脱自在に取り付け、図１に示すようにボトル形状の容器１０として、その内部に、例えばリンスやトリートメント類などの内容物１６を収納する。
【００１４】
そのような容器１０の口部１３には、ポンプ装置２０を取り付ける。
ポンプ装置２０には、シリンダ２１を設け、図示省略するが、そのシリンダ２１の内部にピストンを挿入してシリンダ室を形成し、そのシリンダ室に、ピストンを復帰するコイルスプリングを収納するとともに、シリンダ室の入口に逆止弁を、出口に開閉弁を備えてなる。
【００１５】
シリンダ２１の下端部には吸上げパイプ２２を連結し、シリンダ２１から下向きにのばす。他方、シリンダ２１の上端部には、内周に雌ネジを有するネジキャップ２３を取り付ける。そのネジキャップ２３の頂部中心孔からは、前記ピストンと一体の、または前記ピストンに連結するステム２４を上向きに突出する。そのステム２４の上端部には、押下釦２５を取り付ける。押下釦２５には、先端に噴出口２６を有する嘴状の噴出管２７を設ける。
【００１６】
そして、はじめに吸上げパイプ２２の先を容器１０の口部１３に通してシリンダ２１の大部分を容器１０内に入れ、吸上げパイプ２２の先を容器１０の底近くまでのばし、ネジキャップ２３を容器１０の口部１３に被せてその口部１３にネジ付け、図１に示すように容器１０の口部１３にポンプ装置２０を取り付けてなる。
【００１７】
使用時は、噴出管２７を、手のひらなどの目的部位に向け、コイルスプリングに抗して押下釦２５を押し下げてステム２４を押し込み、ピストンでシリンダ室の圧力を高めて開閉弁を開き、シリンダ室の内容物１６をステム２４内から押下釦２５内を通して噴出口２６から外部へと噴出する。
【００１８】
そして、やがてシリンダ室の内容物１６がなくなって噴出口２６からの内容物１６の噴出が停止したとき、押下釦２５から手を離すと、コイルスプリングの付勢力でピストンを押し上げてステム２４を復帰する。このとき、ピストンの押し上げにともない開閉弁を閉じ、ピストンの押し上げとともにシリンダ室を負圧化し、逆止弁を開いて吸上げパイプ２２を通して容器１０の内容物１６をシリンダ室に吸い上げて後、逆止弁を閉じる。
【００１９】
この繰り返しにより、押下釦２５の押し下げとともに、ポンプ装置２０で容器１０の内容物１６を汲み上げて上方の噴出口２６から外部に向けて噴出する。
【００２０】
ところで、この種の噴出器では、使用とともに容器１０内に水等が入り込み、長い間の使用によりカビが生えたり、容器１０の内容物が変質して例えばゼリー状になったりすることがある。特に近年では、使用とともに容器１０の内容物１６がなくなったとき、口部１３に対するネジキャップ２３のネジ付けを外して容器１０からポンプ装置２０を取り外し、容器１０内に新しい内容物１６を充填して再使用する詰め換え式のものが多くなってきており、使用が長期化すると、容器１０内を汚染して不衛生となったり、吸い上げ不良を生じたりする問題がある。
【００２１】
そこで、図示噴出器では、詰め換え時にポンプ装置２０を外したとき、容器１０の本体部１１に対する底部１２のネジ付けを外して本体部１１から底部１２を取り外し、例えば図３に示すように蛇口３０からの水３１をかけながら上部開口１５から挿入したブラシで擦るなどにより、底部１２の底に付着するゼリー状の残液３２を除去する。また、例えば図４に示すように、下部開口１４から挿入したブラシ３３の先で擦って本体部１１の肩部１７内に付着したゼリー状の残液３４を除去する。
【００２２】
このように、図示例の噴出器によれば、例えば容器内容物の詰め換え時に、本体部１１から底部１２を取り外し、容器１０を分割して本体部１１および底部１２を各々個別に洗浄し、それぞれの内部に付着する残液３２・３４を除去して後、きれいになった容器１０に新しい内容物１６を充填する。このとき、例えば底が浅いから底部１２をきれいに洗浄することができ、また底部１２側からブラシ等を入れて本体部１１の肩部１７などもきれいに洗浄することができ、容器１０の洗浄を容易として容器１０を常に衛生的に保持することができる。
【図面の簡単な説明】
【００２３】
【図１】この発明に係るポンプ式噴出器の縦断面図である。
【図２】その噴出器で使用する容器を本体部と底部とに分解して示す断面図である。
【図３】その底部の洗浄状態を示す断面図である。
【図４】その本体部の洗浄状態を示す断面図である。
【図５】従来のポンプ式噴出器の縦断面図である。
【図６】その従来のポンプ式噴出器で使用する容器を逆さにして内部の残液を外に落下させようとしている状態を示す断面図である。
【図７】従来の別のポンプ式噴出器の分解図である。
【符号の説明】
【００２４】
１０    容器
１１    本体部
１２    底部
１３    口部
１６    内容物
２０    ポンプ装置
２５    押下釦
２６    噴出口
【図１】
2005247336.tif 000003
【図２】
2005247336.tif 000004
【図３】
2005247336.tif 000005
【図４】
2005247336.tif 000006
【図５】
2005247336.tif 000007
【図６】
2005247336.tif 000008
【図７】
2005247336.tif 000009